(57)【特許請求の範囲】
【請求項１】
複数のテープフィーダーが並列状態でセットされる表面実装部品装着機の電子部品供給管理システムにおいて、
前記複数のテープフィーダーの先端部にテープカバーを取り付け、剥離されるトップカバーテープより先端側の開口部の先端側となるテープカバーの先端部上面に、該テープフィーダーおよび該テープフィーダーに収容されている電子部品に関するデータを表示する表示手段を設け、該表示手段を前記表面実装部品装着機のヘッド部に取り付けた撮像手段によって認識し、前記データを読み取ることを特徴とする電子部品供給管理システム。
【請求項２】
複数のテープフィーダーが並列状態でセットされる表面実装部品装着機の電子部品供給管理システムにおいて、
前記複数のテープフィーダーの先端部にテープカバーを取り付け、剥離されるトップカバーテープより先端側の開口部の先端側となるテープカバーの先端部上面に、少なくとも該テープフィーダーの種類と該テープフィーダーのシリアル番号と該テープフィーダーに収容されている電子部品名の中からどれか一つ以上のものを表示する表示手段を設け、該表示手段を前記表面実装部品装着機のヘッド部に取り付けた撮像手段によって認識し、前記各データを読み取ることを特徴とする電子部品供給管理システム。
【請求項３】
電子部品供給リールを取り付けた複数のテープフィーダーが並列状態でセットされる表面実装部品装着機の電子部品供給管理システムにおいて、
前記テープフィーダーの先端部にテープカバーを取り付け、剥離されるトップカバーテープより先端側の開口部の先端側となるテープカバーの先端部上面に、少なくとも該テープフィーダーの種類と該テープフィーダーのシリアル番号と該テープフィーダーに収容されている電子部品名の中からどれか一つ以上のものを表示する表示手段を設け、該表示手段を前記表面実装部品装着機のヘッド部に取り付けた撮像手段によって認識し、前記各データを読み取ることを特徴とする電子部品供給管理システム。
【請求項４】
前記表示手段として、二次元バーコードを用いたことを特徴とする請求項１、２または３記載の電子部品供給管理システム。
【発明の詳細な説明】
【０００１】
【産業上の利用分野】
本発明は、複数のテープフィーダーが横一列に並列状態でセットされ、上記フィーダーより繰り出される電子部品を所定のプリント基板に装着する表面実装部品装着機に適用される電子部品供給管理システムに関するものである。
【０００２】
【従来の技術】
プリント基板に各種の表面実装部品を自動実装する表面実装部品装着機は、図６の（ａ），（ｂ）に示すように、実装部品を定間隔で保持したテープ状の部品保持体３２が巻装される部品供給リール３１を取り付けた複数のテープフィーダー３０がそれぞれ表面実装部品装着機２０に狭間隔並列状態でセットされる。この際、部品供給リール３１の側面には、供給部品の部品コードをバーコードで表した部品情報ラベル３３が貼着され、段取りチェック、リール交換時のチェック等、各種の管理に供される。
【０００３】
なお、図中２１は表面実装部品装着機２０に設けられた部品吸着ノズルであり、部品供給リール３１に巻装された部品保持体３２より繰り出された一つの部品Ｐを吸引把持して表面実装部品装着機２０内部の処理対象プリント基板上の実装位置へ移送し実装する。２３は表面実装部品装着機２０に設けられたテープフィーダー位置決めピンであり、テープフィーダー３０に設けられた位置決め用の固定孔Ｈに嵌合して、テープフィーダー３０を表面実装部品装着機２０の定位置に固定する。２４は表面実装部品装着機２０に設けられたロックピンであり、テープフィーダー３０に設けられたロックレバー３４のロック爪に係合して、テープフィーダー３０を表面実装部品装着機２０の定位置に固定する。３５は部品保持体３２のうちの不要となったトップカバーテープを巻き取るリールである。
【０００４】
上記したような構成をなす表面実装部品装着機２０においては、表面実装部品装着機２０にセットされたテープフィーダー３０各々の部品供給リール３１に貼られているラベル３３の部品コードをコンピュータ管理のためのデバイス割付けデータ（部品構成リスト）と照合する作業が必要となる。
【０００５】
この際、部品供給リール３１を取り付けた複数のテープフィーダー３０がそれぞれ表面実装部品装着機２０に狭間隔で並置されることから、各テープフィーダー３０をそれぞれ表面実装部品装着機２０にセットした状態で上記各部品供給リール３１に貼られたラベル３３の部品コードを機械的に読むことができない。
【０００６】
そこで、従来では作業者Ａが目視により部品供給リール３１の側面部に貼着された部品情報ラベル３３に記録されたコードを読み、他の作業者Ｂに口頭で伝達して、作業者Ｂが部品リスト上でそのコードを確認するという、複数の作業者による部品確認作業が全ての装着リールに対して必要であった。
【０００７】
しかしながら、このような従来の部品確認手段においては、部品確認作業に複数の作業者が介在することから、また、リールが隙間のない狭間隔で並置された状態下でリール側面のラベルに記録されたコードを判読しなければならないことから、信頼性の高い安定した部品確認作業が期待できず、部品実装誤りの発生率に問題があるとともに、確認作業に多くの時間と労力を要するという問題があった。
【０００８】
また、図７に示すように、部品供給リール３１の側面に実装部品の部品コードをバーコードで記録したラベル３３が貼着され、このバーコードラベル３３をバーコードリーダー３６を用いて機械的に読み取り、その後、該テープフィーダー３０を表面実装部品装着機２０にセットすることもできるが、前記バーコードラベル３３をバーコードリーダー３６で読み取る手間やフィーダーレーンの位置を確認する手間が必要であり、併せて、通常のバーコードでは入力データの数に限界がある。等の様々な問題点を有するものであった。
【０００９】
【発明が解決しようとする課題】
本発明は、前記した問題点を解決するためになされたもので、部品供給リールを取り付けた複数のテープフィーダーが狭間隔並列状態でセットされる表面実装部品装着機において、表面実装部品装着機にテープフィーダーがセットされた状態で、テープフィーダーおよび該テープフィーダーに収容されている電子部品に関する多くのデータを自動的に読み取ることのできる表面実装部品装着機の電子部品供給管理システムを提供することを目的とする。
【００１０】
また、本発明は表面実装部品装着機にテープフィーダーがセットされた状態で、電子部品照合作業を高い信頼性をもって円滑且つ迅速に実行できる表面実装部品装着機の電子部品供給管理システムを提供することを目的とする。
【００１１】
【課題を解決するための手段】
前記した目的を達成するための本発明の手段は、
複数のテープフィーダーが並列状態でセットされる表面実装部品装着機の電子部品供給管理システムにおいて、
前記複数のテープフィーダーの先端部にテープカバーを取り付け、剥離されるトップカバーテープより先端側の開口部の先端側となるテープカバーの先端部上面に、該テープフィーダーおよび該テープフィーダーに収容されている電子部品に関するデータを表示する表示手段を設け、該表示手段を前記表面実装部品装着機のヘッド部に取り付けた撮像手段によって認識し、前記データを読み取る電子部品供給管理システムにある。
【００１２】
また、複数のテープフィーダーが並列状態でセットされる表面実装部品装着機の電子部品供給管理システムにおいて、
前記複数のテープフィーダーの先端部にテープカバーを取り付け、剥離されるトップカバーテープより先端側の開口部の先端側となるテープカバーの先端部上面に、少なくとも該テープフィーダーの種類と該テープフィーダーのシリアル番号と該テープフィーダーに収容されている電子部品名の中からどれか一つ以上のものを表示する表示手段を設け、該表示手段を前記表面実装部品装着機のヘッド部に取り付けた撮像手段によって認識し、前記各データを読み取る電子部品供給管理システムにある。
【００１３】
そして、電子部品供給リールを取り付けた複数のテープフィーダーが並列状態でセットされる表面実装部品装着機の電子部品供給管理システムにおいて、
前記テープフィーダーの先端部にテープカバーを取り付け、剥離されるトップカバーテープより先端側の開口部の先端側となるテープカバーの先端部上面に、少なくとも該テープフィーダーの種類と該テープフィーダーのシリアル番号と該テープフィーダーに収容されている電子部品名の中からどれか一つ以上のものを表示する表示手段を設け、該表示手段を前記表面実装部品装着機のヘッド部に取り付けた撮像手段によって認識し、前記各データを読み取る電子部品供給管理システムにある。
【００１４】
さらに、前記表示手段として、二次元バーコードを用いている。
また、前記撮像手段は、吸着ノズルに吸着された電子部品の装着位置を認識する撮像手段と同一である。
【００１６】
【実施例】
次に、本発明に関する電子部品供給管理システムの実施の一例を図面に基づいて説明する。図１は本発明の電子部品供給管理システムを採用した表面実装部品装着機の主要部斜視図であり、図２は図１に示すテープフィーダーの構造を説明するための説明図であり、図３は図２に示すテープフィーダーを表面実装部品装着機へ並列状態でセットした時の概略平面図である。
【００１７】
図１〜図３において、１は表示手段である二次元バーコード２をその先端部に貼着したテープフィーダーであり、該テープフィーダー１の先端部に取り付けたテープカバー３の上面に、テープフィーダー１の種類、該テープフィーダー１のシリアル番号および該テープフィーダー１に収容されている電子部品名等の多くのデータが入力された二次元バーコード２を貼着している。
【００１８】
前記二次元バーコード２は、図４に示すようなＱＲコード（クイックレスポンスコード）等のようなものであり、国際自動認識工業会で国際規格に認定されており、大容量情報をより小さく印字でき、そのため、狭い領域に多くの情報を付与することが可能となる。
【００１９】
本発明では、電子部品供給リール４を取り付けた複数のテープフィーダー１が並列状態でセットされる表面実装部品装着機Ｗにおいて、前記テープフィーダー１の先端部６に貼着した表示手段２、例えば、二次元バーコード２を、前記表面実装部品装着機Ｗのヘッド部７に取り付けられて電子部品ｂの装着位置認識を行う撮像手段８によって自動認識し、上述した各データを自動的に読み取ることができるようになる。
【００２１】
次に、本発明の電子部品供給管理システムに関し、流れ図にまとめると図５のようになる。なお、図５においては、上述したテープフィーダ１を単にフィーダーとして記載してある。
【００２２】
Ｉにおいて、供給対象となる電子部品ｂを収容し、その部品供給部５の先端部６（テープフィーダー１の先端部に取付けられたテープカバー３の先端部上面）に貼着された表示手段２を有するテープフィーダー１を準備する。
【００２３】
ＩＩにおいて、表面実装部品装着機Ｗのフィーダーレーン９の予め決められた位置にＩで準備した各テープフィーダー１をセットする。
【００２４】
ＩＩＩにおいて、ヘッド１０を取り付けた可動部材１１に設けた撮像手段８をテープフィーダー１の表示手段２の上方へ移動させる。
【００２５】
ＩＶにおいて、ＩＩＩの撮像手段８をさらにＸ方向へ移動させて、表面実装部品装着機Ｗのフィーダーレーン９にセットされた全てのテープフィーダー１の表示手段２（例えば二次元バーコード等）を認識し、各テープフィーダー１の所有するデータを読み取る。
【００２６】
Ｖにおいて、ＩＶの結果、予め入力されたテープフィーダー１の種類、該テープフィーダー１のシリアル番号および該テープフィーダー１に収容されている電子部品名と、フィーダーレーン９へのテープフィーダー１のセット位置などが自動的に照合される。
【００２７】
その照合結果が正しければ直ちに実装開始になり、その照合結果が間違っておれば再度段取り作業を行うことになり、Ｉの対象テープフィーダー１の準備からまた順次繰り返すことになる。
【００２８】
したがって、本発明のように、テープフィーダー１の部品供給部５の先端部６（テープフィーダー１の先端部に取付けられたテープカバー３の先端部上面）に表示手段２を貼着し、ヘッド１０を取り付けた可動部材１１に設けた電子部品装着位置認識用カメラである撮像手段８にて、多くのデータを入力した前記表示手段２を認識できるようにすることにより、テープフィーダー１の種類、該テープフィーダー１のシリアル番号および該テープフィーダー１に収容されている電子部品名等の多くのデータを正確・迅速に読み取り、高い信頼性を持った照合作業を実行できるようになる。
【００２９】
また、前記撮像手段８で、前記表示手段である二次元バーコード２も認識できるので、別にバーコードリーダー等を準備する必要もなく、製作コストの低減にもなる。
【００３０】
【発明の効果】
以上詳記したように、本発明によれば、複数のテープフィーダーが狭間隔並列状態でセットされる表面実装部品装着機において、テープフィーダーが表面実装部品装着機にセットされた状態のままで、しかもバーコードリーダー等の別の認識手段を備える必要もなく、多くのデータの照合作業を、高い信頼性を持って迅速且つ確実に実行できる。
【００３１】
また、本発明によれば、表面実装部品装着機にセットされたテープフィーダーの部品供給部の先端部に貼着されるラベル（二次元バーコード）をコンピュータ管理のためのデバイス割付けデータ（部品構成リスト）と照合する部品確認作業を、単一作業者により高い信頼性を持って円滑且つ迅速に実行できる。等の格別な効果を奏するものである。
【図面の簡単な説明】
【図１】本発明に関する電子部品供給管理システムを採用した表面実装部品装着機の主要部斜視図である。
【図２】図１に示すテープフィーダーの構造を示す説明図である
【図３】図２に示すテープフィーダーを表面実装部品装着機へ並列状態でセットした時の概略平面図である。
【図４】二次元バーコードを示す説明図である。
【図５】本発明の電子部品供給管理システムにおける作業フローを示す説明図である。
【図６】本発明で対象とする表面実装部品装着機の構成と従来のテープフィーダーの構成を示す説明図である。
【図７】従来のバーコードリーダーにて読み取る方法を示す説明図である。
【符号の説明】
Ｗ      表面実装部品装着機
ｂ      電子部品
１      フィーダー
２      表示手段（二次元バーコード）
３      テープカバー
４      電子部品供給リール
５      フィーダーの部品供給部
６      フィーダーの部品供給部の先端部
７      ヘッド部
８      撮像手段
９      フィーダーレーン
１０    ヘッド
１１    可動部材
【図１】
0004189109.tif 000002
【図２】
0004189109.tif 000003
【図３】
0004189109.tif 000004
【図４】
0004189109.tif 000005
【図５】
0004189109.tif 000006
【図６】
0004189109.tif 000007
【図７】
0004189109.tif 000008